(57)【要約】【課題】本発明は、複数枚のカードを収容することができ、しかも、収容したカードの残り枚数に関係なく、必要に応じて各カードを円滑に順次取り出すことのできるカードケースを提供する。【解決手段】複数枚のカードを積層状態にして収容する箱状の収容部を備えたカードケースであって、前記収容部は、積層状態にある前記複数枚のカードの端面に対向する側壁部にスリット状の取出口が形成され、積層状態にある複数枚のカードの面に対向する一対の対向部の少なくとも何れか一方に、カードを面方向にスライドさせる開口したスライド窓が形成され、該一対の対向部は、面方向にスライドしたカードを取出口に案内する案内部を備えてなることを特徴とする。【選択図】          図１
2005000586.tif 000002
【特許請求の範囲】
【請求項１】
複数枚のカードを積層状態にして収容する箱状の収容部を備えたカードケースであって、前記収容部は、積層状態にある前記複数枚のカードの端面に対向する側壁部にスリット状の取出口が形成され、積層状態にある複数枚のカードの面に対向する一対の対向部の少なくとも何れか一方に、カードを面方向にスライドさせる開口したスライド窓が形成され、該一対の対向部は、面方向にスライドしたカードを取出口に案内する案内部を備えてなることを特徴とするカードケース。
【請求項２】
前記スライド窓が一方の対向部に形成されるとともに、前記取出口が一方の対向部に沿って形成され、他方の対向部の案内部は、カードの一端が摺接可能に取出口に向かって傾斜した傾斜面から構成され、一方の対向部の案内部は、他方の対向部の案内部によって案内されてくるカードが接触するように、収容したカードの面と略平行な平面状に形成されてなる請求項１記載のカードケース。
【発明の詳細な説明】
【０００１】
【発明の属する技術分野】
本発明は、複数枚の名刺や会員カード等のカードを取り出し可能に収容するカードケースに関する。
【０００２】
【従来の技術】
従来から、複数枚の紙製の名刺や、プラスチック製の磁気カード（メンバーズカード、クレジットカード）等（以下、単にカードという）を取り出し可能に収容するカードケースとして種々のものが提供されている。
【０００３】
かかるカードケースとしては、生地を縫製して袋状に形成したものや、樹脂を箱状に成形したものがあり、これらの何れおいても複数枚のカードを積層状態にして収容できるように構成されており、収容した複数枚のカードの端（積層状態にすることで形成されたカードの一端面）が露呈するように、取出口が形成されている。（例えば、特許文献１参照）。
【０００４】
【特許文献１】
特開２００３―１２７５７８号公報
【０００５】
【発明が解決しようとする課題】
しかしながら、前述の如く、従来のカードケースは、積層状態にした複数枚のカードの全ての端面が露呈するように取出口が形成されているため、少数枚のカード（例えば、カードが名刺である場合には、一枚）を出そうとしても、積層状態にしたカード同士の摩擦抵抗等により、必要以上の枚数のカード（大量のカード）がカードケースから出てしまう場合がある。
【０００６】
そこで、本発明は、斯かる実情に鑑み、複数枚のカードを収容することができ、しかも、収容したカードの残り枚数に関係なく、必要に応じて各カードを円滑に順次取り出すことのできるカードケースを提供することを課題とする。
【０００７】
【課題を解決するための手段】
本発明にかかるカードケースは、上記課題を解決すべくなされたものであり、請求項１記載の如く、複数枚のカードを積層状態にして収容する箱状の収容部を備えたカードケースであって、前記収容部は、積層状態にある前記複数枚のカードの端面に対向する側壁部にスリット状の取出口が形成され、積層状態にある複数枚のカードの面に対向する一対の対向部の少なくとも何れか一方に、カードを面方向にスライドさせる開口したスライド窓が形成され、該一対の対向部は、面方向にスライドしたカードを取出口に案内する案内部を備えてなることを特徴とする。
【０００８】
上記構成のカードケースによれば、収容部に複数枚のカードを収容した状態で、スライド窓から露呈するカードを、取出口の形成された側壁部に向けて面方向にスライドさせると、該カードは、案内部によって取出口に案内されることになる。そして、取出口は、スリット状に形成されているので、喩え、スライドさせたカード以外のカードが付いてきたとしても、取出口の許容する枚数（取出口のスリット幅に対応した枚数）のカードしか通過しないことになる。したがって、カードを一枚だけ取り出すようにするには、取出口のスリット幅をカード一枚分に設定すればよい。
【０００９】
また、一対の対向部に上述の如く案内部を設けることで、取出口の形成位置や、収容されているカードの残り枚数に関係なく、カードを円滑に取出口に導いて取り出すことができる。
【００１０】
また、請求項２記載の如く、前記スライド窓が一方の対向部に形成されるとともに、前記取出口が一方の対向部に沿って形成され、他方の対向部の案内部は、カードの一端が摺接可能に取出口に向かって傾斜した傾斜面から構成され、一方の対向部の案内部は、他方の対向部の案内部によって案内されてくるカードが接触するように、収容したカードの面と略平行な平面状に形成されることが好ましい。
【００１１】
このようにすれば、スライド窓を介してカードを取出口の形成された側壁部に向けてスライドさせた際に、該スライドするカードには、他方の対向部に向けて押圧力が作用した状態となり、この状態で、該カードが他方の対向部の案内部に案内されると、カードの一端側は他方の対向部の案内部の傾斜に対応するように傾斜状態でスライドすることになる。そして、該カードの一端は、一方の対向部の平面状の案内部に接触した後、該案内部に沿った姿勢、すなわち、収容部に収容された姿勢に正された状態で取出口からでてくることになる。これにより、カードを体裁の整った姿勢で円滑に取り出すことができる。
【００１２】
【発明の実施の形態】
以下、本発明の一実施形態にかかるカードケースについて、添付図面を参酌しつつ説明する。
【００１３】
本実施形態にかかるカードケースは、平面視略矩形状をなすカードである名刺を収容するものであり、所定形状に裁断した紙（厚紙や板紙等）を折り曲げ加工することにより形成されたものである。該カードケースは、図１、及び図２に示す如く、日常的に取り出す名刺Ｃを収容する収容部１と、該収容部１に名刺Ｃの補充を行うべく予備の名刺Ｃをストックしておくストック収容部２とを備えている。
【００１４】
前記収容部１は、積層状態で収容した複数枚の名刺Ｃの面に対向する一対の対向部１０ａ，１０ｂと、収容した名刺Ｃの端面に対向する側壁部１１ａ，１１ｂ，１１ｃ，１１ｄとで構成され、平面視略矩形状をなす箱体で構成されている。
【００１５】
前記一対の対向部１０ａ，１０ｂは、平面視矩形状に形成されており、一方の対向部１０ａには、長手方向に延びる長穴状のスライド窓１２が形成されている。該スライド窓１２は、当該スライド窓１２から露呈する収容した名刺Ｃを長手方向（名刺Ｃの長手方向の一端と対向する側壁部１１ａ（後述する取出側壁部）に向けて）にスライドさせるために設けられている。
【００１６】
また、該一方の対向部１０ａは、短手方向の一端のみが、収容した名刺Ｃの短手方向の一端と対向する側壁部１１ｂ（以下、この側壁部を開放側壁部という）に連設され、該開放側壁部１１ｂとともに当該収容部１を開閉できるように構成されており、名刺Ｃの補充を可能としている。また、該一方の対向部１０ａは、短手方向の他端が接続片１３を介してストック収容部２に連結されている。
【００１７】
該一対の対向部１０ａ，１０ｂは、収容した名刺Ｃを後述する取出口１４に向けて案内する案内部１５ａ，１５ｂを備えており、本実施形態においては、一方の対向部１０ａの案内部１５ａが、平面状に形成され、他方の対向部１０ｂの案内部１５ｂは、傾斜面で構成されている。
【００１８】
具体的には、一対の対向部１０ａ，１０ｂは、積層状態で収容した複数枚の名刺Ｃの面と略平行状態をなす収容内面１６ａ，１６ｂと、各収容内面１６ａ，１６ｂの一端から延びる前記案内部１５ａ，１５ｂ（図３参照）とを備えている。
【００１９】
一方の対向部１０ａの案内部１５ａ（以下、第一案内部という）は、一端が収容内面１６ａの一端に接続され、収容内面１６ａと連続した平面で構成され、他方の対向部１０ｂの案内部１５ｂ（以下、第二案内部という）は、収容内面１６ｂの一端に接続された一端より他端側ほど第一案内部１５ａ側に接近するように傾斜した傾斜面で構成され、他端が後述する壁部１７の上端に接続されることで、傾斜状態を維持できるように構成されている。また、第一案内部１５ａ、及び第二案内部１５ｂは、互いに対向しており、第一案内部１５ａの他端と、第二案内部１５ｂの他端は、第一案内部１５ａに対して直交方向の同一面（取出側壁部１１ａ）上に位置している。
【００２０】
なお、本実施形態にかかるカードケースは、上述の如く、紙を折り曲げ加工して形成したものであるので、他方の対向部１０ｂ（収容内面１６ｂ、及び第二案内部１５ｂ）、及び壁部１７は、連続した紙を折り曲げることにより形成されており、壁部１７と第二案内部１５ｂとの接続部分は折り曲げ部分となっている。
【００２１】
前記側壁部１１ａ，１１ｂ，１１ｃ，１１ｄは、名刺Ｃの外周を包囲するように、他方の対向部１０ｂの各端縁に起立状態となるように延設されており、前記開放側壁部１１ｂを含めて四面形成されている。
【００２２】
四面の側壁部１１ａ，１１ｂ，１１ｃ，１１ｄのうち、収容した名刺Ｃの長手方向の一端面と対向する側壁部１１ａ（以下、この側壁部を取出側壁部という）には、前記収容した名刺Ｃを取り出すためのスリット状の取出口１４が形成されている。
【００２３】
具体的には、取出側壁部１１ａは、取出口１４と、壁部１７とで構成されており、該壁部１７は、高さが他の側壁部１１ｂ，１１ｃ，１１ｄよりも低く設定されて他方の対向部１０ｂに延設されており、一対の対向部１０ａ，１０ｂを対向させた状態で、一方の対向部１０ａの長手方向の一端縁（第一案内部１５ａの他端）と、該壁部１７の上端との間（第一案内部１５ａ，及び第二案内部１５ｂの端縁間）にスリット状の隙間、すなわち、前記取出口１４が形成されている。なお、本実施形態にかかる壁部１７は、一枚の名刺Ｃが取出口１４を通過できるように、前記取出口１４のスリット幅（一対の案内部１５ａ，１５ｂの他端間の間隔）が、一枚の名刺Ｃの厚みと略同等、或いはそれよりやや広めとなるように高さ設定されている。
【００２４】
前記取出側壁部１１ａ、及び開放側壁部１１ｂと対向する二面の側壁部１１ｃ，１１ｄの上端には、他方の対向部１０ｂと略平行をなすように支持部１８が延設されいる。各側壁部１１ｃ，１１ｄに延設された支持部１８は、互いに貼り合わされて平面視Ｌ字状をなしている。このように支持部１８を設けることで、名刺Ｃを補充できるようにした上で、該側壁部１１ｃ，１１ｄの傾倒の防止を図るとともに、一方の対向部１０ａを閉じて収容部１を箱状となった際に、一方の対向部１０ａが他方の対向部１０ｂ側に落ち込むのを防止するようにしている。
【００２５】
前記ストック収容部２は、所定枚数の名刺Ｃを積層状態にして収容できるように箱状に構成されており、収容した名刺Ｃの長手の一端（短手方向の一端）を露呈させるように一側面を開放してストック補充取出口２０が形成されている。
【００２６】
該ストック収容部２は、収容した名刺Ｃの面に対向する一方の平面部２１における前記ストック補充取出口２０を形成する一端が、前記収容部１の一方の対向部１０ａに連設された接続片１３に連設されており、該接続片１３を一方の平面部２１の一端に沿って折り曲げることで、前記ストック補充取出口２０を閉塞状態にしてストック用の名刺Ｃが脱落するのを防止できるようになっている。
【００２７】
前記収容部１（一方の対向部１０ａ）とストック収容部２とを接続する接続片１３は、接続方向の幅が、ストック収容部２の高さと収容部１の高さとを略合算した長さに設定されており、収容部１を一方の対向部１０ａを閉じた状態にし、接続片１３の幅方向の両端に沿って折り曲げることで、当該カードケースを二つ折りにした状態にすることができるようになっている。また、一方の対向部１０ａの他端とストック収容部２の一方の平面部２１の一端とを接続片１３で接続することで、上述の如く二つ折り状態にした際に、他方の対向部１０ｂが一方の対向部１０ａとストック収容部２との間に折り込まれた態様となり、収容部１がみだりに開放状態とならず、また、接続片１３によってストック収容部２のストック補充取出口２０を閉ざすことができるようになっている。
【００２８】
次に、収容部１からの名刺Ｃの取り出しについて図３を参照して説明する。なお、図３は、支持部１８を省略した収容部１の概略縦断面図である。
【００２９】
収容部１に収容した複数枚の名刺Ｃは、最下層の名刺Ｃが他方の対向部１０ｂの収容内面１６ｂに載置された状態で積層状態をなしており、最上層の名刺Ｃが一方の対向部１０ａの収容内面１６ａに対向し、スライド窓１２を介して外部に露呈した状態となっている。
【００３０】
そして、収容部１内の名刺Ｃの残量が減った状態でスライド窓１２を介して指Ｆで最上層の名刺Ｃを取出側壁部１１ａに向けてスライドさせると、該カードＣは、他方の対向部１０ｂに向けて押圧された状態でスライドすることになり、その名刺Ｃの一端が第二案内部１５ｂに接触する。そして、名刺Ｃをさらにスライドさせると、該名刺Ｃの先頭側（一端側）が第二案内部１５ｂで案内されて傾斜した状態となる。そうすると、取出口１４のスリット幅が、一枚の名刺Ｃの厚みと略同等に設定されているので、傾斜状態となった名刺Ｃの一端は、第一案内部１５ａに接触することになる。そして、その名刺Ｃをさらにスライドさせると、該名刺Ｃは、平面状の第一案内部１５ａに沿ってスライドすることになり、第一案内部１５ａによって姿勢が正された状態（収容部１内での収容状態の姿勢に矯正された状態）で取出口１４から出てくることになる。
【００３１】
この際、積層状態にした名刺Ｃ同士の摩擦抵抗により、最上層の名刺Ｃよりも下層の名刺Ｃが最上層の名刺Ｃに付いて取出側壁部１１ａ側に移動しても、上述の如く、取出口１４のスリット幅が、一枚の名刺Ｃの厚み程度に設定されているので、取出口１４を通過することのできる枚数（本実施形態においては一枚）の名刺Ｃのみが取出口１４から外部に出てくることになる。
【００３２】
なお、収容部１内に収容した名刺Ｃの枚数が最大枚数（一対の対向部１０ａ，１０ｂの収容内面１６ａ，１６ｂ間に介在できる最大枚数）である場合には、取出側壁部１１ａに向けてスライドさせた最上層の名刺Ｃは、第二案内部１５ｂに案内されることなく、一方の対向部１０ａの平面状の第一案内部１５ａで案内され、まっすぐ取出口１４から出てくることになる。
【００３３】
以上のように、上記構成のカードケースによれば、一対の対向部１０ａ，１０ｂに名刺Ｃを取出口１４に向けて案内する案内部（第一案内部１５ａ、第二案内部１５ｂ）を設けたので、収容部１内に収容されている名刺Ｃのそれぞれを順次円滑に取り出すことができる。
【００３４】
つまり、収容部１を複数枚の名刺Ｃを積層状態で収容するように構成し、該名刺Ｃを取り出す取出口１４をスリット状に構成するだけでは、収容された名刺Ｃの枚数によっては、最上層の名刺Ｃをスライド窓１２を介して取出側壁部１１ａに向けて面方向にスライドさせても、壁部１７に衝突して取り出せなくなるといった事態が発生するが、本実施形態にかかるカードケースは、スライドさせる名刺Ｃを取出口１４に案内する第一案内部１５ａ、及び第二案内部１５ｂが一対の対向部１０ａ，１０ｂに設けられているので、収容部１に残存する名刺Ｃの枚数に関係なく、収容された名刺Ｃの各々を、取出口１４で通過可能な枚数で円滑に取り出すことができる。
【００３５】
また、該カードケースは、収容部１の取出口１４が、一枚の名刺Ｃの厚みと同等のスリット幅に設定されているので、該取出口１４のスリット幅以上となる枚数の名刺Ｃが取出口１４から外部に出るのを防止することができる。
【００３６】
さらに、該カードケースは、一方の対向部１０ａにスライド窓１２が形成されるとともに、スリット状の取出口１４が該一方の対向部１０ａに沿って形成され、しかも第一案内部１５ａが平面状に形成され、第二案内部１５ｂが傾斜面で構成されているので、収容部１内の名刺Ｃの残量を問わず、常に名刺Ｃをスライド方向で真っ直ぐな状態（体裁の整った姿勢）で取り出すことができる。
【００３７】
さらに、上記カードケースは、紙を折り曲げて形成したので、低コストのものとなり、景品等にも最適なものになる。
【００３８】
尚、本発明のカードケースは、上記実施形態に限定されるものではなく、本発明の要旨を逸脱しない範囲内において種々変更を加え得ることは勿論である。
【００３９】
上記実施形態において、ストック収容部２を設けたが、これに限定されるものではなく、例えば、上記収容部１のみでカードケースを構成してもよい。
【００４０】
上記実施形態において、第一案内部１５ａ、及び第二案内部１５ｂの他端を同一面上に位置させるとともに、取出口１４のスリット幅を一枚の名刺Ｃの厚み程度に設定することで、第二案内部１５ｂによって案内された名刺Ｃの一端が平面状の第一案内部１５ａに接触するようにし、該名刺Ｃの姿勢を正すようにしたが、これに限定されるものではなく、例えば、取出口１４のスリット幅を本実施形態よりも広く設定するとともに、第一案内部１５ａの他端部が第二案内部１５ｂの他端よりも外側に延出するように構成し、第二案内部１５ｂで案内されてくる名刺Ｃが第一案内部１５ａに接触して姿勢が正されるようにしてもよい。また、取り出す名刺Ｃの姿勢を正す必要がなければ、必ずしも、第二案内部１５ｂで案内される名刺Ｃが第一案内部１５ａに接触するように構成する必要はない。
【００４１】
上記実施形態において、取出側壁部１１ａを壁部１７及び取出口１４とで構成し、他方の対向部１０ｂの一端に起立状態で延設された壁部１７の上端と一方の対向部１０ａの一端との間の隙間で前記取出口１４を構成し、取出口１４が一方の対向部１０ａに沿って形成されるようにしたが、これに限定されるものではなく、例えば、一方の対向部１０ａの一端に上記壁部１７と同様の構成の壁部を延設し、取出口１４を他方の対向部１０ｂに沿って形成するようにしてもよい。この場合、第一案内部１５ａを傾斜面で構成し、第二案内部１５ｂを平面状に構成すればよい。また、一対の対向部１０ａ，１０ｂのそれぞれの一端に、対向する対向部１０ａ，１０ｂに向けて壁部を延設し、該壁部間に取出口１４を形成するようにしてもよい。この場合、第一案内面及び第二案内面の両方を傾斜面で構成すれよい。つまり、取出口１４の形成位置に対応して、第一案内部１５ａ，第二案内部１５ｂの両方を傾斜面で構成したり、一方を平面状にして他方を傾斜面で構成したりすれば、上記実施形態と同様の作用、効果を奏することができる。
【００４２】
上記実施形態において、スライド窓１２を一方の対向部１０ａに設けたが、これに限定されるものではなく、スライド窓１２は、例えば、他方の対向部１０ｂに設けたり、一対の対向部１０ａ，１０ｂの両方に設けてもよい。この場合においても、第一案内部１５ａ，及び第二案内部１５ｂは、スライド窓１２を介して名刺Ｃをスライドさせる際に、その名刺Ｃを取出口１４に案内できるように構成することは勿論のことである。
【００４３】
上記実施形態において、第二案内部１５ｂを傾斜面で構成したが、これに限定されるものではなく、例えば、他方の対向部１０ｂの一端部に、短手方向に所定間隔を有して側面視三角形状の複数のリブ体を設けるようにしてもよい。この場合、リブ体の傾斜した端縁の一端を壁部１７の上端に接続するとともに、他端を収容内面１６ｂの一端に接続した状態にすれば、その傾斜した端縁が上記実施形態にかかる傾斜面に相当することになる。
【００４４】
上記実施形態において、一方の対向部１０ａを開閉できるようにして収容部１内に名刺Ｃを補充できるように構成したが、これに限定されるものではなく、例えば、取出側壁部１１ａと対向する側壁部１１ｃを開閉できるようにしたり、上記実施形態にかかる開放側壁部１１ｂ、又はこれに対向する側壁部１１ｄを開閉できるようにしてもよい。つまり、収容部１に名刺Ｃを補充できる構成は、種々形態を採用することができる。
【００４５】
上記実施形態において、カードケース全体を紙で形成したが、これに限定されるものではなく、該カードケースは、金属板を折り曲げて形成したり、樹脂成形品で構成しても勿論よい。
【００４６】
上記実施形態において、収容部１に収容する対象として名刺Ｃを採用したが、これに限定されるものではなく、上記収容部１に収容する対象として、例えば、プラスチック製のカード（メンバーズカード等）、磁気カード（テレフォンカード等）等であってもよい。
【００４７】
【発明の効果】
以上のように、本発明にかかるカードケースによれば、複数枚のカードを積層状態にして収容する箱状の収容部を備えたカードケースであって、前記収容部は、積層状態にある前記複数枚のカードの端面に対向する側壁部にスリット状の取出口が形成され、積層状態にある複数枚のカードの面に対向する一対の対向部の少なくとも何れか一方に、カードを面方向にスライドさせる開口したスライド窓が形成され、該一対の対向部は、面方向にスライドしたカードを取出口に案内する案内部を備えているので、複数枚のカードを収容することができ、しかも、収容したカードの残り枚数に関係なく、必要に応じて各カードを円滑に順次取り出すことができる。
【図面の簡単な説明】
【図１】本発明の一実施形態にかかるカードケースの全体斜視図を示す。
【図２】同実施形態にかかるカードケースを開いた状態の全体斜視図を示す。
【図３】同実施形態にかかるカードケースの収容部の縦断面図を示す。
【符号の説明】
１…収容部、２…ストック収容部、１０ａ，１０ｂ…対向部、１１ａ…側壁部（取出側壁部）、１１ｂ…側壁部（開放側壁部）、１１ｃ，１１ｄ…側壁部、１２…スライド窓、１３…接続片、１４…取出口、１５ａ…案内部（第一案内部）、１５ｂ…案内部（第二案内部）、１６ａ，１６ｂ…収容内面、１７…壁部、１８…支持部、２０…ストック補充取出口、２１…平面部、Ｃ…名刺、Ｆ…指
【図１】
2005000586.tif 000003
【図２】
2005000586.tif 000004
【図３】
2005000586.tif 000005